(57)【要約】【課題】  光センサの誤検出を抑えることができる電気光学装置を提供すること。【解決手段】  電気光学装置は、複数の画素２３が配列された表示領域２２と、バックライト５２と、当該バックライト５２から射出された光を画素２３に導く面状導光板５１と、を備える。電気光学装置は、さらに、バックライト５２から射出された光について面状導光板５１を介して光量を検出するセンサ９１を備え、面状導光板５１は、バックライト５２から射出された光をセンサ９１に集める集光部５３を有する。【選択図】        図３
2007101771.tif 000002
【特許請求の範囲】
【請求項１】
複数の画素が配列された表示部と、光源と、当該光源から射出された光を前記画素に導く導光部と、を備えた電気光学装置であって、
前記光源から射出された光について前記導光部を介して光量を検出する検出手段をさらに備え、
前記導光部は、前記光源から射出された光を前記検出手段に集める集光手段を有することを特徴とする電気光学装置。
【請求項２】
請求項１に記載の電気光学装置において、
前記集光手段は、前記光源から射出された光を屈折させて前記検出手段に集める屈折手段を備えることを特徴とする電気光学装置。
【請求項３】
請求項２に記載の電気光学装置において、
前記集光手段は、前記光源から射出された光を反射させて前記屈折手段に導く反射手段を備えることを特徴とする電気光学装置。
【請求項４】
請求項１から３のいずれかに記載の電気光学装置において、
前記導光部は、矩形平板状であり、
前記光源は、前記導光部の一端面に沿って設けられ、
前記導光部の前記光源に対向する端面には、前記光源からの光を前記導光部に対して垂直な方向に導く延設導光部が設けられ、
前記集光手段は、前記延設導光部の先端面に設けられることを特徴とする電気光学装置。
【請求項５】
請求項１から３のいずれかに記載の電気光学装置において、
前記導光部は、矩形平板状であり、
前記光源は、前記導光部の一端面に沿って設けられ、
前記導光部の前記光源に対向する端面には、前記光源からの光を前記導光部に対して垂直な方向に導く延設導光部が設けられ、
前記延設導光部の先端面には、前記光源からの光を当該導光部の表面に沿った方向に導く第２延設導光部が設けられ、
前記集光手段は、前記第２延設導光部の先端面に設けられることを特徴とする電気光学装置。
【請求項６】
請求項１から３のいずれかに記載の電気光学装置において、
前記複数の画素は、複数のカラーフィルタを有し、
当該複数のカラーフィルタは、第１フィルタ群と第２フィルタ群とに分けられ、
前記光源は、輝度特性が異なる第１サブ光源および第２サブ光源を備え、
前記導光部は、前記第１サブ光源から射出された光を前記第１フィルタ群に導く第１導光部と、前記第２サブ光源から射出された光を前記第２フィルタ群に導く第２導光部と、を備え、
前記検出手段は、前記第１導光部に設けられ前記第１フィルタ群の光透過特性に応じた所定の波長帯域の光量を検出する第１検出手段と、前記第２導光部に設けられ前記第２フィルタ群の光透過特性に応じた所定の波長帯域の光量を検出する第２検出手段と、を備えることを特徴とする電気光学装置。
【請求項７】
光源と、前記光源から射出された光を導く導光部と、を備えた照明装置であって、
前記光源から射出された光について前記導光部を介して光量を検出する検出手段をさらに備え、
前記導光部は、前記光源から射出された光を前記検出手段に集める集光手段を有することを特徴とする照明装置。
【請求項８】
請求項１から６のいずれかに記載の電気光学装置を備えたことを特徴とする電子機器。
【発明の詳細な説明】
【技術分野】
【０００１】
本発明は、例えば、電気光学装置および電子機器に関する。
【背景技術】
【０００２】
従来より、液晶表示装置等の電気光学装置が知られている。この電気光学装置は、例えば、第１の基板と、この第１の基板に対向して設けられた第２の基板と、第１の基板と第２の基板との間に設けられた液晶と、第１の基板と第２の基板とは反対側に設けられた導光板と、この導光板に取り付けられたバックライトと、を備える。
第１の基板は、複数の走査線、複数のデータ線、ならびに、走査線およびデータ線の交差に対応して設けられた複数の画素電極およびＴＦＴを有する。また、第２の基板の第１の基板側には、画素電極に対向して共通電極が設けられている。
【０００３】
この電気光学装置には、複数の画素が配列されて構成された表示領域が形成されている。各画素は、それぞれ、上述の第１の基板に形成された画素電極およびＴＦＴに加え、第２の基板に形成された赤（Ｒ）、緑（Ｇ）、青（Ｂ）のカラーフィルタを含んで構成される。
【０００４】
上述の電気光学装置によれば、バックライトから所定の輝度特性で光を射出すると、この光は、導光板内で拡散されて、制御回路で制御された液晶シャッタを通過した後、表示領域全面に照射される。表示領域の各画素に入射した光は、カラーフィルタを所定の光透過特性に従って通過して射出される。
【０００５】
ところで、以上のような電気光学装置では、バックライトとして、赤色光、緑色光、および青色光が混合した白色光を射出する白色ＬＥＤを利用することが望ましい。このため、赤色ＬＥＤ、緑色ＬＥＤ、および青色ＬＥＤを順番に配置したバックライトが提案されている。
しかしながら、現状では、白色ＬＥＤは演色性が乏しい。例えば、白色ＬＥＤは、赤色が出にくいことが指摘されている。
この場合、赤色ＬＥＤ、緑色ＬＥＤ、および青色ＬＥＤから射出される光量のバランスを適正な範囲で維持するため、導光板に光量を検出する光センサを取り付け、この光センサで検出された光量に基づいて、バックライトをフィードバック制御する方法が知られている（特許文献１参照）。
【特許文献１】特開２０００−２８９８４号公報
【発明の開示】
【発明が解決しようとする課題】
【０００６】
しかしながら、上述した電気光学装置では、導光板に光センサを取り付けるため、センサを小型化する必要がある。よって、光センサへの入射光量が小さくなってしまい、その結果、Ｓ／Ｎ比（Ｓｉｇｎａｌ／Ｎｏｉｓｅ比）が低下して、光センサが誤検出するおそれがあった。
【０００７】
本発明の目的は、光センサの入射光量を増加させることにより誤検出を抑えることができる電気光学装置および電子機器を提供することである。
【課題を解決するための手段】
【０００８】
本発明の電気光学装置は、複数の画素が配列された表示部と、光源と、当該光源から射出された光を前記画素に導く導光部と、を備えた電気光学装置であって、前記光源から射出された光について前記導光部を介して光量を検出する検出手段をさらに備え、前記導光部は、前記光源から射出された光を前記検出手段に集める集光手段を有することを特徴とする。
【０００９】
この発明によれば、光源から射出された光を検出手段に集める集光手段を設けたので、検出手段の入射光量を確保して、検出手段における誤検出を抑制できる。
【００１０】
本発明の電気光学装置では、前記集光手段は、前記光源から射出された光を屈折させて前記検出手段に集める屈折手段を備えることが好ましい。
【００１１】
ここで、屈折手段としては、例えば、レンズがある。
この発明によれば、集光手段に屈折手段を設けたので、光を検出手段に向かって屈折させることで、検出手段に容易に集光できる。
【００１２】
本発明の電気光学装置では、前記集光手段は、前記光源から射出された光を反射させて前記屈折手段に導く反射手段を備えることが好ましい。
【００１３】
ここで、反射手段としては、例えば、鏡がある。
この発明によれば、集光手段に反射手段を設けたので、屈折手段に向かって光を反射して、屈折手段を介して検出手段に集光できる。
【００１４】
本発明の電気光学装置では、前記導光部は、矩形平板状であり、前記光源は、前記導光部の一端面に沿って設けられ、前記導光部の前記光源に対向する端面には、前記光源からの光を前記導光部に対して垂直な方向に導く延設導光部が設けられ、前記集光手段は、前記延設導光部の先端面に設けられることが好ましい。
【００１５】
上述した電気光学装置では、導光部から集光手段が突出し、集光手段の分だけ電気光学装置の全長が長くなる場合がある。この場合、電気光学装置を電子機器内の所定のスペースに取り付けることが困難になる。
そこで、この発明によれば、延設導光部を設けたので、集光手段を導光部に対して垂直な方向に配置できるから、電気光学装置の全長が長くなるのを防止して、電気光学装置を電子機器内の所定のスペースに確実に取り付けることができる。
【００１６】
本発明の電気光学装置では、前記導光部は、矩形平板状であり、前記光源は、前記導光部の一端面に沿って設けられ、前記導光部の前記光源に対向する端面には、前記光源からの光を前記導光部に対して垂直な方向に導く延設導光部が設けられ、前記延設導光部の先端面には、前記光源からの光を当該導光部の表面に沿った方向に導く第２延設導光部が設けられ、前記集光手段は、前記第２延設導光部の先端面に設けられることが好ましい。
【００１７】
上述した電気光学装置では、導光部に垂直な方向に集光手段が突出し、集光手段の分だけ電気光学装置の厚みが厚くなる場合がある。この場合、電気光学装置を電子機器内の所定のスペースに取り付けることが困難になる。
そこで、この発明によれば、延設導光部に加え、第２延設導光部を設けたので、集光手段を導光部の表面に沿った方向に配置できるから、電気光学装置の厚みが厚くなるのを防止して、電気光学装置を電子機器内の所定のスペースに確実に取り付けることができる。
【００１８】
本発明の電気光学装置では、前記複数の画素は、複数のカラーフィルタを有し、当該複数のカラーフィルタは、第１フィルタ群と第２フィルタ群とに分けられ、前記光源は、輝度特性が異なる第１サブ光源および第２サブ光源を備え、前記導光部は、前記第１サブ光源から射出された光を前記第１フィルタ群に導く第１導光部と、前記第２サブ光源から射出された光を前記第２フィルタ群に導く第２導光部と、を備え、前記検出手段は、前記第１導光部に設けられ前記第１フィルタ群の光透過特性に応じた所定の波長帯域の光量を検出する第１検出手段と、前記第２導光部に設けられ前記第２フィルタ群の光透過特性に応じた所定の波長帯域の光量を検出する第２検出手段と、を備えることが好ましい。
【００１９】
複数のカラーフィルタは、赤（Ｒ）、緑（Ｇ）、青（Ｂ）の３種類でもよいし、赤（Ｒ）、緑（Ｇ）、青（Ｂ）に、赤（Ｒ）、緑（Ｇ）、および青（Ｂ）のうちいずれかの補色を加えた４種類でもよい。例えば、赤（Ｒ）、緑（Ｇ）、青（Ｂ）、シアン（Ｃ）の４種類、赤（Ｒ）、緑（Ｇ）、青（Ｂ）、黄（Ｙ）の４種類がある。さらに、赤（Ｒ）、緑（Ｇ）、青（Ｂ）、シアン（Ｃ）、白（Ｗ）の５種類などの様々な組み合わせでもよい。
この発明によれば、第１フィルタ群を構成するカラーフィルタには、第１サブ光源から射出された光のみが入射し、第２フィルタ群を構成するカラーフィルタには、第２サブ光源から射出された光のみが入射する。
【００２０】
よって、第１フィルタ群を透過する光の割合が多くなるように、第１サブ光源の輝度特性を設定し、第２フィルタ群を透過する光の割合が多くなるように、第２サブ光源の輝度特性を設定するだけで、各カラーフィルタにおいて減衰または遮断される光を削減し、バックライトの光の利用効率を向上させて、消費電力を削減できる。
【００２１】
また、第１フィルタ群を構成する種類のカラーフィルタが、残る種類の光をある程度透過する特性であっても、この残る種類の光は、物理的に第１フィルタ群に入射することはないので、第１フィルタ群を構成するカラーフィルタから残る種類の光が射出されることはない。第２フィルタ群についても、同様である。よって、各カラーフィルタの光透過特性にかかわらず、混色を抑えて色再現性を向上できる。
【００２２】
また、第１フィルタ群の光透過特性に応じた所定の波長帯域の光量を検出する第１センサと、記第２フィルタ群の光透過特性に応じた所定範囲の波長帯域の光量を検出する第２センサと、を設けた。つまり、各フィルタ群に対応した所定の波長帯域を検出するセンサを設けた。そのため、第１センサおよび第２センサがオーバースペックとならず、コストを低減できる。
【００２３】
本発明の電子機器は、上述した電気光学装置を備えたことを特徴とする。
【発明を実施するための最良の形態】
【００２４】
以下、本発明の実施形態を図面に基づいて説明する。なお、以下の実施形態の説明にあたって、同一構成要件については同一符号を付し、その説明を省略もしくは簡略化する。
【００２５】
＜１．第１実施形態＞
図１は、本発明の第１実施形態に係る電気光学装置１の全体構成を示す斜視図であり、図２は、図１のＺ−Ｚ´断面図である。
電気光学装置１は、画素電極１１等が形成された素子基板１０と、この素子基板１０に対向配置されかつ共通電極２１等が形成された対向基板２０と、素子基板１０および対向基板２０の間に設けられた電気光学物質としての液晶３０と、素子基板１０の下側（対向基板２０とは反対側）に設けられて液晶３０に光を照射するバックライトユニット４０と、を有する。
素子基板１０は、ガラスや半導体等で形成され、この素子基板１０上には、ＴＦＴ（Ｔｈｉｎ  Ｆｉｌｍ  Ｔｒａｎｓｉｓｔｏｒ：薄膜トランジスタ）を用いて各種の回路等が形成される。また、対向基板２０は、ガラス等の透明性の材料で形成される。
【００２６】
対向基板２０の外周部には、素子基板１０および対向基板２０の間隙を封止するシール部材３２が設けられている。このシール部材３２は、素子基板１０および対向基板２０とともに、液晶３０が封入される空間を形成する。シール部材３２には、素子基板１０および対向基板２０の間隔を保持するため、スペーサ３３が混入されている。なお、シール部材３２には、液晶３０を封入するための開口部が形成されており、この開口部は、液晶３０の封入後に封止材３４で封止されている。
【００２７】
ここで、素子基板１０の対向基板２０側の表面であって、シール部材３２の一辺の外側には、Ｘ方向に延在する、データ線を駆動するデータ線駆動回路２００が形成されている。さらに、この一辺には複数の接続電極２０１が形成されて、この接続電極２０１を通して図示しない制御回路からの各種信号や画像信号が入力される。また、シール部材３２の前記一辺の両側の辺には、Ｙ方向に延在する、走査線を駆動する走査線駆動回路１００が形成されている。
【００２８】
対向基板２０の表面には、表示部としての表示領域２２が形成されている。なお、図示しないが、この表示領域２２には後述するカラーフィルタ２４Ｒ、２４Ｇ、２４Ｂ、２４Ｃが形成されるとともに、カラーフィルタ２４Ｒ、２４Ｇ、２４Ｂ、２４Ｃ同士の隙間その外周には、ブラックマトリクスが形成され、外光の入射が防止されている。
また、以上のカラーフィルタおよびブラックマトリクス上には、図示しない保護膜が形成され、この保護膜上に共通電極２１が形成される。この共通電極２１は、素子基板１０の四隅のうち、少なくとも１箇所において設けられた導通材を介して、素子基板１０と電気的に導通している。また、素子基板１０および対向基板２０の対向面側には、それぞれ、所定の方向にラビング処理された配向膜等が設けられ、それぞれの背面側には、配向方向に応じた偏光板が設けられる。
【００２９】
図３は、表示領域２２にバックライトユニット５０を重ねた状態を示す概略平面図である。
表示領域２２は、複数の画素２３が配列されて構成され、各画素２３は、赤（Ｒ）、緑（Ｇ）、青（Ｂ）およびシアン（Ｃ）の光透過特性が異なる４種類のカラーフィルタ２４Ｒ、２４Ｇ、２４Ｂ、２４Ｃを含んで構成される。具体的には、各画素２３は、これらカラーフィルタ２４Ｒ、２４Ｂ、２４Ｇ、２４Ｃが、略ストライプ状に配列されて構成される。
【００３０】
バックライトユニット５０は、透明材料で形成された略矩形平板状の導光部としての面状導光板５１と、この面状導光板５１の一端面に沿って設けられた光源としてのバックライト５２と、を備える。
なお、図示しないが、面状導光板５１の素子基板１０側には、輝度を向上させるため、プリズムシートが設けられ、このプリズムシート上には、バックライト５２から射出された光を拡散させる拡散板が設けられる。また、面状導光板５１の素子基板１０の反対側には、底面反射板が設けられる。
【００３１】
バックライト５２は、複数の青（Ｂ）、赤（Ｒ）、および緑（Ｇ）のＬＥＤ５２１、５２２、５２３で構成される。具体的には、青（Ｂ）、赤（Ｒ）、および緑（Ｇ）のＬＥＤ５２１、５２２、５２３の順に繰り返し配列されて構成される。
これにより、バックライト５２は、青色光、赤色光、および緑色光を射出する。
場合によっては、シアン（Ｃｙａｎ）のＬＥＤを追加してもよい。シアンは、緑と青の中間色であるが、カラーフィルタとのマッチングが良好になるので、演色性が向上する。ただし、光の３原色である、赤（Ｒ）、緑（Ｇ）、青（Ｂ）があれば、加法混色によりあらゆる色を表示できる。もちろん、シアンを表示することもできる。
【００３２】
面状導光板５１は、バックライト５２から射出された光を面発光させる。
この面状導光板５１のバックライト５２に対向する端面には、バックライト５２から射出された光をセンサ９１に集める集光手段としての集光部５３が形成されている。なお、センサ９１については、後に詳述する。
具体的には、集光部５３は、面状導光板５１のバックライト５２に対向する端面の中央にセンサ９１を囲むように設けられた屈折手段としてのレンズ５３１と、このレンズ５３１を挟んで前記端面に設けられた反射手段としての反射板５３２と、を備える。
【００３３】
ここで、レンズ５３１は、図３中矢印で示すように、バックライト５２からの光を面状導光板５１の面内方向で屈折させてセンサ９１に集める。
反射板５３２は、図３中矢印で示すように、バックライト５２から射出された光をレンズ５３１に向かって反射することで、レンズ５３１を通して、センサ９１に集光する。
【００３４】
以上の電気光学装置１の動作は、以下のようになる。
バックライト５２は、青（Ｂ）、赤（Ｒ）および緑（Ｇ）の光を射出する。すると、この光は、面状導光板５１に入射し、液晶３０による液晶シャッタを通過する。その後、この光は、表示領域２２の各画素２３に入射し、赤（Ｒ）、緑（Ｇ）、青（Ｂ）、およびシアン（Ｃ）のいずれかカラーフィルタ２４Ｒ、２４Ｇ、２４Ｂ、２４Ｃを透過して、射出される。
【００３５】
図４は、本発明のバックライトユニット５０を制御する制御回路８０のブロック図である。
【００３６】
制御回路８０は、上述の検出手段としてのセンサ９１と、コントローラ８１と、ＰＷＭ制御回路８２と、を備える。
【００３７】
センサ９１は、上述したように、バックライト５２から射出された光の光量を検出し、この光量を検出信号として出力する。
【００３８】
コントローラ８１は、各色の設定値に基づいて、センサ９１からの検出信号に基づき、制御信号をＰＷＭ制御回路８２に出力する。
具体的には、コントローラ８１には、白（Ｗ）、赤（Ｒ）、緑（Ｇ）、青（Ｂ）、シアン（Ｃ）についての光量の設定値が入力される。
【００３９】
コントローラ８１は、入力された白（Ｗ）、赤（Ｒ）、緑（Ｇ）、青（Ｂ）、シアン（Ｃ）の各色の設定値に基づき、赤（Ｒ）、緑（Ｇ）、青（Ｂ）の各色の制御信号を生成し、ＰＷＭ制御回路８２に出力する。このとき、センサ９１で検出された光量に基づいて、赤（Ｒ）、緑（Ｇ）、青（Ｂ）の制御信号を補正する。
【００４０】
ＰＷＭ制御回路８２は、コントローラ８１からの制御信号に基づいてパルス幅を変調することで、ＬＥＤ５２１、５２２、５２３に流れる電流値を制御する。すなわち、青（Ｂ）の制御信号に基づいて、青色光を射出するＬＥＤ５２１の電流値を制御する。また、赤（Ｒ）の制御信号に基づいて、赤色光を射出するＬＥＤ５２２の電流値を制御し、緑色の制御信号に基づいて、緑色光を射出するＬＥＤ５２３の電流値を制御する。
【００４１】
本実施形態によれば、以下のような効果がある。
（１）バックライト５２から射出された光をセンサ９１に集める集光部５３を設けたので、センサ９１の入射光量を確保して、センサ９１における誤検出を抑制できる。また、従来、センサ９１には当該センサ９１のほぼ幅分の光量しか入射しなかったが、本実施形態によれば、図４に示すように、集光部５３によりバックライト５２の端面全部の光量をセンサ９１に集めることができる。
【００４２】
（２）集光部５３にレンズ５３１を設けたので、光をセンサ９１に向かって屈折させることで、センサ９１に容易に集光できる。
【００４３】
（３）集光部５３に反射板５３２を設けたので、反射板５３２でレンズ５３１に向かって光を反射して、レンズ５３１を介してセンサ９１に集光できる。
【００４４】
＜２．第２実施形態＞
図５は、表示領域２２に本発明の第２実施形態に係るバックライトユニット５０Ａを重ねた状態を示す概略平面図である。
本実施形態では、バックライトユニット５０Ａの構成が、第１実施形態と異なる。
すなわち、バックライトユニット５０Ａでは、青（Ｂ）、赤（Ｒ）、および緑（Ｇ）の３つのＬＥＤ５２１、５２２、５２３を１組のＬＥＤとし、この１組のＬＥＤにつき１つの面状導光板５１Ａが設けられている。
面状導光板５１Ａには、それぞれ、面状導光板５１と同様に、集光部５３が形成されている。
【００４５】
本実施形態によれば、以下のような効果がある。
（４）表示領域が大型化すると、面状導光板も大型化し、レンズや反射板でセンサに集光することが困難になる。しかしながら、本実施形態では、３つのＬＥＤ５２１、５２２、５２３につき１つの面状導光板５１Ａを設け、これら面状導光板５１Ａのそれぞれに集光部５３を設けたので、表示領域２２が大型化しても、面状導光板５１Ａの数を増加させるだけでよいから、バックライト５２からの光をセンサ９１に確実に集めることができる。
【００４６】
＜３．第３実施形態＞
図６は、表示領域２２に本発明の第３実施形態に係るバックライトユニット５０Ｂを重ねた状態を示す概略平面図である。
本実施形態では、バックライトユニット５０Ｂの構成が、第１実施形態と異なる。
【００４７】
すなわち、面状導光板５１のバックライト５２に対向する端面には、バックライト５２からの光を面状導光板５１に垂直な方向に導く延設導光部としての延設導光板５４が設けられ、集光部５３は、延設導光板５４の先端面に設けられる。
延設導光板５４は、透明材料で形成された延設部５４１と、この延設部５４１と面状導光板５１との境界に形成された反射板５４２と、を有しており、これによりバックライト５２からの光を面状導光板５１に垂直な方向に導いている。
【００４８】
本実施形態によれば、第１実施形態の（１）〜（３）の効果に加え、以下のような効果がある。
（５）延設導光板５４を設けたので、集光部５３を面状導光板５１に対して垂直な方向に配置できるから、バックライトユニット５０Ｂの全長が長くなるのを防止して、バックライトユニット５０Ｂを所定のスペースに確実に取り付けることができる。
【００４９】
＜４．第４実施形態＞
図７は、表示領域２２に本発明の第４実施形態に係るバックライトユニット５０Ｃを重ねた状態を示す概略平面図である。
本実施形態では、バックライトユニット５０Ｃの構成が、第３実施形態と異なる。
【００５０】
すなわち、面状導光板５１のバックライト５２に対向する端面には、バックライト５２からの光を面状導光板５１に垂直な方向に導く上述の延設導光板５４が設けられ、延設導光板５４の先端面には、バックライト５２からの光を面状導光板５１の表面に沿った方向に導く第２延設導光部としての第２延設導光板５５が設けられる。
集光部５３は、第２延設導光板５５の先端面に設けられる。
【００５１】
第２延設導光板５５は、透明材料で形成された延設部５５１と、この延設部５５１と延設導光板５４との境界に形成された反射板５５２と、を有しており、これによりバックライト５２からの光を面状導光板５１に沿った方向に導いている。
【００５２】
本実施形態によれば、第１実施形態の（１）〜（３）の効果および第３実施形態の（５）の効果に加え、以下のような効果がある。
（６）第２延設導光板５５を設けたので、集光部５３を面状導光板５１の表面に沿った方向に配置できるから、バックライトユニット５０Ｃの厚みが厚くなるのを防止して、バックライトユニット５０Ｃを所定のスペースに確実に取り付けることができる。
【００５３】
＜５．第５実施形態＞
本実施形態では、表示領域２２Ｄの構成、バックライトユニット４０の構成、および制御回路８０Ｄの構成が第１実施形態と異なる。
図８は、表示領域２２Ｄの概略平面図である。
表示領域２２Ｄは、複数の画素２３が配列されて構成され、これらの画素２３Ｄは、赤（Ｒ）、緑（Ｇ）、青（Ｂ）およびシアン（Ｃ）の光透過特性が異なる４種類のカラーフィルタ２５Ｒ、２５Ｇ、２５Ｂ、２５Ｃを含んで構成される。具体的には、画素２３Ｄは、これらカラーフィルタ２５Ｒ、２５Ｇ、２５Ｂ、２５Ｃが、略田の字状に配列されて構成される。
【００５４】
ここで、４種類のカラーフィルタを第１フィルタ群６１と第２フィルタ群６２とに分ける。つまり、赤（Ｒ）および緑（Ｇ）のカラーフィルタ２５Ｒ、２５Ｇを第１フィルタ群６１とし、青（Ｂ）およびシアン（Ｃ）のカラーフィルタ２５Ｂ、２５Ｃを第２フィルタ群６２とする。すると、第１フィルタ群６１および第２フィルタ群６２は、図８中上下方向に交互に配置される。
【００５５】
また、各第１フィルタ群６１において、赤（Ｒ）および緑（Ｇ）のカラーフィルタ２５Ｒ、２５Ｇは、図８中水平方向に並んで配置されている。具体的には、赤（Ｒ）のカラーフィルタ２５Ｒが左側に配置され、緑（Ｇ）のカラーフィルタ２５Ｇが右側に配置される。なお、これに限らず、赤（Ｒ）のカラーフィルタ２５Ｒを右側に配置し、緑（Ｇ）のカラーフィルタ２５Ｇを左側に配置してもよい。
【００５６】
以上のような第１フィルタ群６１は、表示領域２２Ｄにおいて、図８中水平方向に並んで配置されている。これにより、赤（Ｒ）および緑（Ｇ）のカラーフィルタ２５Ｒ、２５Ｇは、図８中水平方向に一直線状に交互に配置されることとなる。つまり、第１フィルタ群６１は、行毎に赤（Ｒ）および緑（Ｇ）のカラーフィルタ２５Ｒ、２５Ｇで構成される。
【００５７】
また、各第２フィルタ群６２において、青（Ｂ）およびシアン（Ｃ）のカラーフィルタ２５Ｂ、２５Ｃは、図８中水平方向に並んで配置されている。具体的には、シアン（Ｃ）のカラーフィルタ２５Ｃが左側に配置され、青（Ｂ）のカラーフィルタ２５Ｂが右側に配置される。なお、これに限らず、シアン（Ｃ）のカラーフィルタ２５Ｃを右側に配置し、青（Ｂ）のカラーフィルタ２５Ｂを左側に配置してもよい。
【００５８】
以上のような第２フィルタ群６２は、表示領域２２Ｄにおいて、図８中水平方向に並んで配置されている。これにより、青（Ｂ）およびシアン（Ｃ）のカラーフィルタ２５Ｂ、２５Ｃは、図８中水平方向に一直線状に交互に配置されることとなる。つまり、第２フィルタ群６２は、行毎に青（Ｂ）およびシアン（Ｃ）のカラーフィルタ２５Ｂ、２５Ｃで構成される。
【００５９】
図９は、バックライトユニット４０の構成を示す概略平面図である。
バックライトユニット４０は、略矩形状の導光部としての面状導光板４１と、この面状導光板４１の互いに対向する図９中水平方向両側の２辺に沿って設けられた第１サブ光源としての第１バックライト４２および第２サブ光源としての第２バックライト４３と、を備える。
なお、図示しないが、面状導光板４１の素子基板１０側には、輝度を向上させるため、プリズムシートが設けられ、このプリズムシート上には、バックライト４２、４３から射出された光を拡散させる拡散板が設けられる。また、面状導光板４１の素子基板１０の反対側には、反射板が設けられる。
【００６０】
第１バックライト４２は、複数の赤（Ｒ）および緑（Ｇ）のＬＥＤ４２１、４２２が交互に配置されて構成される。これにより、第１バックライト４２は、赤色光および緑色光を射出する。
第２バックライト４３は、複数の青（Ｂ）およびシアン（Ｃ）のＬＥＤ４３１、４３２が交互に配置されて構成される。これにより、第２バックライト４３は、青色光およびシアン色光を射出する。シアン（Ｃ）のＬＥＤは一般的でないため、緑（Ｇ）のＬＥＤで代用してもよい。
【００６１】
面状導光板４１は、バックライト４２、４３から射出された光を面発光させるものであり、第１バックライト４２から射出された光を第１フィルタ群６１に導く第１導光部４４と、第２バックライト４３から射出された光を第２フィルタ群６２に導く第２導光部４５と、を有する。
【００６２】
面状導光板４１の第１導光部４４の表面には、第１バックライト４２から射出された光を第１センサ７１に集める集光部５３が形成されている。なお、第１センサ７１については、後に詳述する。
また、面状導光板４１の第２導光部４５の表面には、第２バックライト４３から射出された光を第２センサ７２に集める集光部５３が形成されている。なお、第２センサ７２については、後に詳述する。
【００６３】
第１導光部４４は、第１バックライト４２に沿って図９中上下方向に延びる第１主導光部４４１と、この第１主導光部４４１から図９中水平方向に延びる複数の第１副導光部４４２と、を備える。具体的には、これら第１副導光部４４２は、第１主導光部４４１の延びる方向に対して略直交する方向に延びるとともに、所定間隔おきに略平行に設けられる。これにより、第１副導光部４４２は、第１主導光部４４１に対して櫛の歯状に設けられている。
【００６４】
第２導光部４５は、第２バックライト４３に沿って図９中上下方向に延びる第２主導光部４５１と、この第２主導光部４５１から図９中水平方向に延びる複数の第２副導光部４５２と、を備える。具体的には、これら第２副導光部４５２は、第１主導光部４４１の延びる方向に対して略直交する方向に延びるとともに、所定間隔おきに略平行に設けられる。これにより、第２副導光部４５２は、第１主導光部４４１に対して櫛の歯状に設けられている。
【００６５】
そして、第１導光部４４の第１副導光部４４２同士の間には、第２導光部４５の第２副導光部４５２が配置され、第２導光部４５の第２副導光部４５２同士の間には、第１導光部４４の第１副導光部４４２が配置されることにより、第１導光部４４と第２導光部４５とが組み合わされて、面状導光板４１を構成する。
【００６６】
図１０は、表示領域２２Ｄにバックライトユニット４０を重ねた状態を示す概略平面図である。
第１導光部４４の各第１副導光部４４２は、一直線状に配置された第１フィルタ群６１の裏面に沿って延びている。また、第２導光部４５の第２副導光部４５２は、一直線状に配置された第２フィルタ群６２の裏面に沿って延びている。
【００６７】
以上の電気光学装置１の動作は、以下のようになる。
第１バックライト４２は、赤（Ｒ）および緑（Ｇ）の光を射出する。すると、この光は、面状導光板４１の第１導光部４４に入射し、第１導光部４４の第１主導光部４４１および第１副導光部４４２を通り、液晶３０による液晶シャッタを通過する。その後、この光は、表示領域２２Ｄの画素２３に入射し、第１フィルタ群６１を構成する赤（Ｒ）または緑（Ｇ）のカラーフィルタ２４Ｒ、２４Ｇを透過する。
一方、第２バックライト４３は、青（Ｂ）およびシアン（Ｃ）の光を射出する。すると、この光は、面状導光板４１の第２導光部４５に入射し、第２導光部４５の第２主導光部４５１および第２副導光部４５２を通り、液晶３０による液晶シャッタを通過する。その後、この光は、表示領域２２Ｄの画素２３に入射し、第２フィルタ群６２を構成する青（Ｂ）またはシアン（Ｃ）のカラーフィルタ２４Ｂ、２４Ｃを透過する。
【００６８】
図１１は、バックライトユニット４０を制御する制御回路８０Ｄのブロック図である。
【００６９】
制御回路８０Ｄは、第１検出手段としての第１センサ７１と、第２検出手段としての第２センサ７２と、コントローラ８１Ｄと、ＰＷＭ制御回路８２Ｄと、を備える。
【００７０】
第１センサ７１は、第１フィルタ群６１の光透過特性に応じた所定の波長帯域の光量を検出する。具体的には、第１センサ７１は、赤色光および緑色光の波長帯域の光量を検出し、検出信号として出力する。
【００７１】
図１２は、第１センサ７１の平面図である。
第１センサ７１は、赤色光を検出する複数の赤色光センサ７１１と、緑色光を検出する複数の緑色光センサ７１２とが、２行４列のマトリクス状に交互に配置されて構成される。具体的には、赤色光センサ７１１および緑色光センサ７１２は、行方向および列方向に交互に配置される。赤色光センサ７１１がこのように配置されている理由は、例えば、ある赤色光センサ７１１の表面に塵埃が付着しても、他の赤色光センサ７１１が機能することで、検出精度が低下するのを防ぐためである。なお、緑色光センサ７１２の配置についても、同様の理由である。
【００７２】
第２センサ７２は、第２フィルタ群６２の光透過特性に応じた所定範囲の波長帯域の光量を検出する。具体的には、第２センサ７２は、青色光およびシアン色光の波長帯域の光量を検出し、検出信号として出力する。
【００７３】
図１３は、第２センサ７２の平面図である。
第２センサ７２は、青色光を検出する複数の青色光センサ７２１と、シアン色光を検出する複数のシアン色光センサ７２２とが、２行４列のマトリクス状に交互に配置されて構成される。具体的には、青色光センサ７２１およびシアン色光センサ７２２は、行方向および列方向に交互に配置される。青色光センサ７２１およびシアン色光センサ７２２がこのように配置されている理由は、赤色光センサ７１１の配置と同様に、検出精度が低下するのを防止するためである。
【００７４】
コントローラ８１Ｄは、各色の設定値に基づいて、これら第１センサ７１および第２センサ７２からの検出信号に基づき、制御信号をＰＷＭ制御回路８２Ｄに出力する。
具体的には、コントローラ８１Ｄには、白（Ｗ）、赤（Ｒ）、緑（Ｇ）、青（Ｂ）、シアン（Ｃ）についての光量の設定値が入力される。
【００７５】
コントローラ８１Ｄは、入力された白（Ｗ）、赤（Ｒ）、緑（Ｇ）、青（Ｂ）、シアン（Ｃ）の各色の設定値に基づき、赤（Ｒ）、緑（Ｇ）、青（Ｂ）、シアン（Ｃ）の各色の制御信号を生成し、ＰＷＭ制御回路８２Ｄに出力する。このとき、赤色光センサ７１１で検出された赤色光の光量に基づいて、赤（Ｒ）の制御信号を補正し、緑色光センサ７１２で検出された緑色光の光量に基づいて、緑（Ｇ）の制御信号を補正する。また、青色光センサ７２１で検出された青色光の光量に基づいて、青（Ｂ）の制御信号を補正し、シアン色光センサ７２２で検出されたシアン色光の光量に基づいて、シアン（Ｃ）の制御信号を補正する。
【００７６】
ＰＷＭ制御回路８２Ｄは、コントローラ８１Ｄからの制御信号に基づいてパルス幅を変調することで、ＬＥＤ４２１、４２２、４３１、４３２に流れる電流値を制御する。すなわち、赤（Ｒ）の制御信号に基づいて、赤色光を射出するＬＥＤ４２１の電流値を制御し、緑色の制御信号に基づいて、緑色光を射出するＬＥＤ４２２の電流値を制御する。また、青（Ｂ）の制御信号に基づいて、青色光を射出するＬＥＤ４３２の電流値を制御し、シアン（Ｃ）の制御信号に基づいて、シアン色光を射出するＬＥＤ４３１の電流値を制御する。
【００７７】
以上のコントローラ８１ＤおよびＰＷＭ制御回路８２Ｄは、第１センサ７１で検出された光量に基づいて、第１バックライト４２を制御し、第２センサ７２で検出された光量に基づいて、第２バックライト４３を制御する。具体的には、赤色光センサ７１１で検出された赤色光の光量に基づいて、ＬＥＤ４２１を制御し、緑色光センサ７１２で検出された緑色光の光量に基づいて、ＬＥＤ４２２を制御する。また、青色光センサ７２１で検出された青色光の光量に基づいて、ＬＥＤ４３２を制御し、シアン色光センサ７２２で検出されたシアン色光の光量に基づいて、ＬＥＤ４３１を制御する。
【００７８】
本実施形態によれば、第１実施形態の（１）〜（３）の効果に加え、以下のような効果がある。
（７）第１フィルタ群６１を構成する赤（Ｒ）および緑（Ｇ）のカラーフィルタ２５Ｒ、２５Ｇには、第１バックライト４２から射出された光のみが入射し、第２フィルタ群６２を構成する青（Ｂ）およびシアン（Ｃ）のカラーフィルタ２５Ｂ、２５Ｃには、第２バックライト４３から射出された光のみが入射する。
ここで、第１バックライト４２を複数の赤（Ｒ）および緑（Ｇ）のＬＥＤ４２１、４２２で構成し、第２バックライト４３を複数の青（Ｂ）およびシアン（Ｃ）のＬＥＤ４３１、４３２で構成した。これにより、各カラーフィルタ２５Ｒ、２５Ｂ、２５Ｇ、２５Ｃにおいて減衰または遮断される光を削減し、バックライト４２、４３の光の利用効率を略１／２にまで向上させて、消費電力を削減できる。
【００７９】
（８）また、第１フィルタ群６１を構成する赤（Ｒ）および緑（Ｇ）のカラーフィルタ２５Ｒ、２５Ｇが、青色光およびシアン色光をある程度透過する特性であっても、この青色光およびシアン色光は、物理的に第１フィルタ群６１に入射することはないので、第１フィルタ群６１から青色光およびシアン色光が射出されることはない。
また、第２フィルタ群６２を構成する青（Ｂ）およびシアン（Ｃ）のカラーフィルタ２５Ｂ、２５Ｃが、赤色光および緑色光をある程度透過する特性であっても、この赤色光および緑色光は、物理的に第２フィルタ群６２に入射することはないので、第２フィルタ群６２から赤色光および緑色光が射出されることはない。
よって、各カラーフィルタ２５Ｒ、２５Ｂ、２５Ｇ、２５Ｃの光透過特性にかかわらず、混色を抑えて色再現性を向上できる。
【００８０】
（９）第１フィルタ群６１の光透過特性に応じた所定の波長帯域の光量を検出する第１センサ７１と、第２フィルタ群６２の光透過特性に応じた所定範囲の波長帯域の光量を検出する第２センサ７２と、を設けた。つまり、各フィルタ群６１、６２に対応した所定の波長帯域を検出するセンサ７１、７２を設けた。そのため、光センサの機能がオーバースペックとならず、コストを低減できる。
【００８１】
（１０）赤色のＬＥＤ４２１および緑色のＬＥＤ４２２を含んで第１バックライト４２を構成し、青色のＬＥＤ４３２およびシアン色のＬＥＤ４３１を含んで第２バックライト４３を構成し、さらに、これら４色の光源を制御回路８０Ｄで個別に制御した。したがって、表示色のバランスを微調整できる。
【００８２】
＜６．第６実施形態＞
図１４は、本発明の第６実施形態に係る表示領域２２Ｅの概略平面図である。
本実施形態では、表示領域２２Ｅを構成する赤（Ｒ）、緑（Ｇ）、青（Ｂ）およびシアン（Ｃ）の光透過特性が異なる４種類のカラーフィルタ２６Ｒ、２６Ｇ、２６Ｂ、２６Ｃの配置、バックライトユニット４０Ｅの構成、ならびに、第１センサ７１Ｅおよび第２センサ７２Ｅの構造が、が、第５実施形態と異なる。
【００８３】
すなわち、画素２３Ｅは、これらカラーフィルタ２６Ｒ、２６Ｂ、２６Ｇ、２６Ｃが、ストライプ状に配列されて構成される。
ここで、シアン（Ｃ）および緑（Ｇ）のカラーフィルタ２６Ｃ、２６Ｇを第１フィルタ群６１Ｅとし、青（Ｂ）および赤（Ｒ）のカラーフィルタ２６Ｂ、２６Ｒを第２フィルタ群６２Ｅとする。すると、第１フィルタ群６１Ｅおよび第２フィルタ群６２Ｅは、図１４中水平方向に配置される。
【００８４】
各第１フィルタ群６１Ｅにおいて、シアン（Ｃ）および緑（Ｇ）のカラーフィルタ２６Ｃ、２６Ｇは、図１４中水平方向に並んで配置されている。具体的には、シアン（Ｃ）のカラーフィルタ２６Ｃが左側に配置され、緑（Ｇ）のカラーフィルタ２６Ｇが右側に配置される。なお、これに限らず、シアン（Ｃ）のカラーフィルタ２６Ｃを右側に配置し、緑（Ｇ）のカラーフィルタ２６Ｇを左側に配置してもよい。
【００８５】
以上のような第１フィルタ群６１Ｅは、表示領域２２Ｅにおいて、図１４中上下方向に並んで配置されている。これにより、シアン（Ｃ）および緑（Ｇ）のカラーフィルタ２６Ｃ、２６Ｇは、図１４中上下方向に一直線状に２列配置されることとなる。つまり、第１フィルタ群６１Ｅは、列毎にシアン（Ｃ）および緑（Ｇ）のカラーフィルタ２６Ｃ、２６Ｇで構成される。
【００８６】
また、各第２フィルタ群６２Ｅにおいて、青（Ｂ）および赤（Ｒ）のカラーフィルタ２６Ｂ、２６Ｒは、図１４中水平方向に並んで配置されている。具体的には、青（Ｂ）のカラーフィルタ２６Ｂが左側に配置され、赤（Ｒ）のカラーフィルタ２６Ｒが右側に配置される。なお、これに限らず、青（Ｂ）のカラーフィルタ２６Ｂを右側に配置し、赤（Ｒ）のカラーフィルタ２６Ｒを左側に配置してもよい。
【００８７】
以上のような第２フィルタ群６２Ｅは、表示領域２２Ｅにおいて、図１４中上下方向に並んで配置されている。これにより、青（Ｂ）および赤（Ｒ）のカラーフィルタ２６Ｂ、２６Ｒは、図１４中上下方向に一直線状に２列配置されることとなる。つまり、第２フィルタ群６２Ｅは、列毎に青（Ｂ）および赤（Ｒ）のカラーフィルタ２６Ｂ、２６Ｒで構成される。
【００８８】
図１５は、バックライトユニット４０Ｅの構成を示す概略平面図である。
バックライトユニット４０Ｅは、略矩形状の面状導光板４１と、この面状導光板４１の互いに対向する図１５中上下方向両側の２辺に沿って設けられた第１バックライト４２Ｅおよび第２バックライト４３Ｅと、を備える。その他、このバックライトユニット４０Ｅの具体的な構造は、第５実施形態のバックライトユニット４０と同様である。
【００８９】
第１バックライト４２Ｅは、複数のシアン（Ｃ）および緑（Ｇ）のＬＥＤ４２３、４２４が交互に配置されて構成される。これにより、第１バックライト４２Ｅは、シアン色光および緑色光を射出する。
第２バックライト４３Ｅは、複数の赤（Ｒ）および青（Ｂ）のＬＥＤ４３３、４３４が交互に配置されて構成される。これにより、第２バックライト４３Ｅは、赤色光および青色光を射出する。
【００９０】
図１６は、表示領域２２Ｅにバックライトユニット４０Ｅを重ねた状態を示す概略平面図である。
第１導光部４４の各第１副導光部４４２は、一直線状に配置された第１フィルタ群６１Ｅの裏面に沿って延びている。第２導光部４５の第２副導光部４５２は、一直線状に配置された第２フィルタ群６２Ｅの裏面に沿って延びている。
【００９１】
図１７は、第１センサ７１Ｅの平面図である。
第１センサ７１Ｅは、シアン色光を検出する複数のシアン色光センサ７１３と、緑色光を検出する複数の緑色光センサ７１４と、が２行４列のマトリクス状に交互に配置されて構成される。
【００９２】
図１８は、第２センサ７２Ｅの平面図である。
第１センサ７２Ｅは、赤色光を検出する複数の赤色光センサ７２３と、青色光を検出する複数の青色光センサ７２４と、が２行４列のマトリクス状に交互に配置されて構成される。
【００９３】
本実施形態によれば、第５実施形態と同様の効果がある。
【００９４】
＜７．応用例＞
（１）上述した各実施形態では、画素２３、２３Ｄ、２３Ｅを赤（Ｒ）、緑（Ｇ）、青（Ｂ）およびシアン（Ｃ）の４種類のカラーフィルタ２４Ｒ、２５Ｒ、２６Ｒ、２４Ｇ、２５Ｇ、２６Ｇ、２４Ｂ、２５Ｂ、２６Ｂ、２４Ｃ、２５Ｃ、２６Ｃで構成したが、これに限らない。すなわち、各画素を赤（Ｒ）、緑（Ｇ）、および青（Ｂ）の３種類のカラーフィルタで構成してもよい。
【００９５】
また、この場合、第１フィルタ群を青（Ｂ）および緑（Ｇ）のカラーフィルタで構成し、第２フィルタ群を赤（Ｒ）のカラーフィルタで構成してもよい。また、第１フィルタ群を赤（Ｒ）および緑（Ｇ）のカラーフィルタで構成し、第２フィルタ群を青（Ｂ）のカラーフィルタで構成してもよい。また、第１フィルタ群を赤（Ｒ）および青（Ｂ）のカラーフィルタで構成し、第２フィルタ群を緑（Ｇ）のカラーフィルタで構成してもよい。
【００９６】
（２）上述した第５実施形態の第１センサ７１では、赤色光センサ７１１と緑色光センサ７１２とを、２行４列のマトリクス状に交互に配置したが、これに限らず、図１９に示すように、４行７列のマトリクス状に配置してもよい。このようにすれば、第１センサの塵埃の付着に対する耐性をさらに向上できる。
また、同様に、第２センサ７２では、青色光センサ７２１とシアン色光センサ７２２とを、２行４列のマトリクス状に交互に配置したが、これに限らず、図２０に示すように、４行７列のマトリクス状に配置してもよい。
また、図示しないが、第６実施形態の第１センサ７１Ｅおよび第２センサ７２Ｅについても、同様に、光センサ７１３、７１４、７２３、７２４を４行７列に配置してもよい。
【００９７】
（３）上述した各実施形態では、シアン色を射出するシアン（Ｃ）のＬＥＤ４３１、４２３を用いたが、代わりに、この緑色光を射出する緑（Ｇ）のＬＥＤ４２２、４２４を用いてもよい。
【００９８】
（４）上述した第１実施形態では、集光部５３をレンズ５３１と反射板５３２とを含んで構成したが、これに限らず、図２１に示すように、集光部５３Ａを放物線状の反射板５３３のみで構成してもよい。
【００９９】
＜８．電子機器＞
次に、上述した実施形態および応用例に係る電気光学装置１を適用した電子機器について説明する。
図２２は、電気光学装置１を適用した携帯電話機の構成を示す斜視図である。携帯電話機３０００は、複数の操作ボタン３００１およびスクロールボタン３００２、ならびに表示ユニットとしての電気光学装置１を備える。スクロールボタン３００２を操作することによって、電気光学装置１に表示される画面がスクロールされる。
【０１００】
なお、電気光学装置１が適用される電子機器としては、図２２に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等が挙げられる。そして、これらの各種電子機器の表示部として、前述した電気光学装置１が適用可能である。
【図面の簡単な説明】
【０１０１】
【図１】本発明の第１実施形態に係る電気光学装置の全体構成を示す斜視図である。
【図２】図１のＺ−Ｚ´断面図である。
【図３】前記電気光学装置の表示部に前記バックライトユニットを重ねた状態を示す概略平面図である。
【図４】前記電気光学装置の制御回路のブロック図である。
【図５】前記電気光学装置の表示部に本発明の第２実施形態に係るバックライトユニットを重ねた状態を示す概略平面図である。
【図６】前記電気光学装置の表示部に本発明の第３実施形態に係るバックライトユニットを重ねた状態を示す概略平面図である。
【図７】前記電気光学装置の表示部に本発明の第４実施形態に係るバックライトユニットを重ねた状態を示す概略平面図である。
【図８】本発明の第５実施形態に係る表示領域の概略平面図である。
【図９】前記電気光学装置を構成するバックライトユニットの概略平面図である。
【図１０】前記電気光学装置の表示領域に前記バックライトユニットを重ねた状態を示す概略平面図である。
【図１１】前記電気光学装置の制御回路のブロック図である。
【図１２】前記電気光学装置の第１センサの平面図である。
【図１３】前記電気光学装置の第２センサの平面図である。
【図１４】本発明の第６実施形態に係る表示領域の概略平面図である。
【図１５】前記電気光学装置を構成するバックライトユニットの概略平面図である。
【図１６】前記電気光学装置の表示領域に前記バックライトユニットを重ねた状態を示す概略平面図である。
【図１７】前記電気光学装置の第１センサの平面図である。
【図１８】前記電気光学装置の第２センサの平面図である。
【図１９】本発明の応用例に係る電気光学装置の第１センサの平面図である。
【図２０】本発明の応用例に係る電気光学装置の第１センサの平面図である。
【図２１】本発明の応用例に係る電気光学装置の集光手段の平面図である。
【図２２】前記電気光学装置を適用した携帯電話機の構成を示す斜視図である。
【符号の説明】
【０１０２】
２２、２２Ｄ、２２Ｅ…表示領域（表示部）、２３、２３Ｄ、２３Ｅ…画素、２４Ｒ、２４Ｂ、２４Ｇ、２４Ｃ、２５Ｒ、２５Ｂ、２５Ｇ、２５Ｃ、２６Ｒ、２６Ｂ、２６Ｇ、２６Ｃ…カラーフィルタ、４２、４２Ｅ…第１バックライト（第１サブ光源）、４３、４３Ｅ…第２バックライト（第１サブ光源）、９１…センサ（検出手段）、５１、５１Ａ…面状導光板（導光部）、５２…バックライト（光源）、５３…集光部（集光手段）、５４…延設導光板（延設導光部）、５５…第２延設導光板（第２延設導光部）、６１、６１Ｅ…第１フィルタ群、６２、６２Ｅ…第２フィルタ群、７１、７１Ｅ…第１センサ（第１検出手段）、７２、７２Ｅ…第２センサ（第２検出手段）、５３１…レンズ（屈折手段）、５３２…反射板（反射手段）。
【図１】
2007101771.tif 000003
【図２】
2007101771.tif 000004
【図３】
2007101771.tif 000005
【図４】
2007101771.tif 000006
【図５】
2007101771.tif 000007
【図６】
2007101771.tif 000008
【図７】
2007101771.tif 000009
【図８】
2007101771.tif 000010
【図９】
2007101771.tif 000011
【図１０】
2007101771.tif 000012
【図１１】
2007101771.tif 000013
【図１２】
2007101771.tif 000014
【図１３】
2007101771.tif 000015
【図１４】
2007101771.tif 000016
【図１５】
2007101771.tif 000017
【図１６】
2007101771.tif 000018
【図１７】
2007101771.tif 000019
【図１８】
2007101771.tif 000020
【図１９】
2007101771.tif 000021
【図２０】
2007101771.tif 000022
【図２１】
2007101771.tif 000023
【図２２】
2007101771.tif 000024